(57)【特許請求の範囲】
【請求項１】
イオン発生部、及び該イオン発生部で発生したイオンを検出するイオンセンサを収容する収容部を備えるイオン発生ユニットにおいて、
前記イオンセンサを露出することなく前記イオン発生部を前記収容部から取り外すための開口部を備えることを特徴とするイオン発生ユニット。
【請求項２】
前記開口部を覆い、取り外し又は開閉可能な蓋部を備えることを特徴とする請求項１に記載のイオン発生ユニット。
【請求項３】
前記イオンセンサが収容された収容部を取り外し又は開閉困難に覆う覆部を備えることを特徴とする請求項１又は請求項２に記載のイオン発生ユニット。
【請求項４】
前記イオン発生部は、
イオンを発生するための電極を有し、
前記イオンセンサは、
イオンを検出するためのセンサ面を有し、
前記収容部は、
該収容部の一部に前記センサ面を露出させて前記イオンセンサを収容してあり、
前記一部から前記電極を突出させて前記イオン発生部を収容してあることを特徴とする請求項１から請求項３までのいずれか１項に記載のイオン発生ユニット。
【請求項５】
前記イオン発生部は、
正イオンを発生するための電極と負イオンを発生するための電極とを離隔して設けてあり、
イオン検出対象の一方の電極と前記イオンセンサとの離隔寸法を画定する仮想直線と、該一方の電極と他方の電極との離隔寸法を画定する仮想直線との間の角度が９０度より大きく１８０度より小さくなるように前記イオンセンサを設けてあることを特徴とする請求項１から請求項４までのいずれか１項に記載のイオン発生ユニット。
【請求項６】
請求項１から請求項５までのいずれか１項に記載のイオン発生ユニットを備え、該イオン発生ユニットで発生したイオンを吹出口から放出するようにしてあることを特徴とする電気機器。
【発明の詳細な説明】
【技術分野】
【０００１】
本発明は、イオンを発生させるイオン発生ユニット及びイオン発生ユニットを備える電気機器に関する。
【背景技術】
【０００２】
従来、脱臭作用や除菌作用を有する液体から霧を発生させ、ファンを用いて発生させた気流によって霧を室内に拡散させることにより、室内の壁面等の脱臭や除菌をすることが可能な空気清浄機又は空気調和機が実用化されている。
【０００３】
このような空気清浄機又は空気調和機は、イオン発生器を備えている。イオン発生器は、例えば、略直方体のケースに収納されており、空気の通流方向と交差する方向に離隔してプラスイオン及びマイナスイオンをそれぞれ発生するイオン発生部を備える。また、イオン発生部の近傍にはイオンセンサを備えている（例えば、特許文献１参照）。
【先行技術文献】
【特許文献】
【０００４】
【特許文献１】特開２０１０−６２０３６号公報
【発明の概要】
【発明が解決しようとする課題】
【０００５】
しかし、特許文献１のようなイオン発生器は、イオン発生部とイオンセンサとが一体化されているため、仮にイオン発生部に異常が発生した場合には、イオン発生器自体を交換する必要がある。このため、イオンセンサが正常であるにもかかわらず、イオンセンサもイオン発生器ごと交換しなければならず、不要なコスト高を招いていた。
【０００６】
本発明は斯かる事情に鑑みてなされたものであり、イオンセンサを交換することなくイオン発生部だけを交換することができるイオン発生ユニット及び該イオン発生ユニットを備える電気機器を提供することを目的とする。
【課題を解決するための手段】
【０００７】
本発明に係るイオン発生ユニットは、イオン発生部、及び該イオン発生部で発生したイオンを検出するイオンセンサを収容する収容部を備えるイオン発生ユニットにおいて、前記イオンセンサを露出することなく前記イオン発生部を前記収容部から取り外すための開口部を備えることを特徴とする。
【０００８】
本発明にあっては、イオンセンサを露出することなく収容部から取り外すための開口部を備える。仮にイオン発生部に異常が発生し、イオンセンサが正常である場合には、イオンセンサを露出することなく、開口部からイオン発生部を取り出し、イオン発生部を交換した後、イオン発生部を開口部に挿入して収容部に取り付け、イオン発生部を交換したイオン発生ユニットをイオン発生装置に装着する。これにより、正常なイオンセンサを交換することなくイオン発生部だけを交換することができ、不要なコスト高となる事態を防止することができる。
【０００９】
本発明に係るイオン発生ユニットは、前記開口部を覆い、取り外し又は開閉可能な蓋部を備えることを特徴とする。
【００１０】
本発明にあっては、開口部を覆い、取り外し又は開閉可能な蓋部を備える。例えば、蓋部は、ねじ等で取り外しが容易な態様で収容部に取り付けることができる。あるいは、蓋部をヒンジ等で回動可能に収容部に固定し、蓋部を開閉するようにしてもよい。あるいは、開口部を開閉できるように蓋部を摺動可能に取り付け、蓋部を摺動させて開口部を開閉するようにしてもよい。仮にイオン発生部に異常が発生し、イオンセンサが正常である場合には、蓋部を収容部から取り外し又は開閉し、イオンセンサを露出することなく、イオン発生部を交換した後、蓋部を収容部に取り付け又は開口部を閉じ、イオン発生部を交換したイオン発生ユニットをイオン発生装置に装着する。これにより、正常なイオンセンサを交換することなくイオン発生部だけを交換することができ、不要なコスト高となる事態を防止することができる。
【００１１】
本発明に係るイオン発生ユニットは、前記イオンセンサが収容された収容部を取り外し又は開閉困難に覆う覆部を備えることを特徴とする。
【００１２】
本発明にあっては、イオンセンサが収容された収容部を取り外し又は開閉困難に覆う覆部を備える。例えば、覆部は、収容部から容易に取り外し又は開閉ができない程度に、例えば、覆部に嵌合部材を設け、収容部に被嵌合部材を設けることができる。仮にイオン発生部に異常が発生し、イオンセンサが正常である場合には、蓋部を収容部から取り外し、イオン発生部を交換した後、蓋部を収容部に取り付け、イオン発生部を交換したイオン発生ユニットをイオン発生装置に装着する。これにより、正常なイオンセンサを交換することなくイオン発生部だけを交換することができ、不要なコスト高となる事態を防止することができる。
【００１３】
本発明に係るイオン発生ユニットは、前記イオン発生部は、イオンを発生するための電極を有し、前記イオンセンサは、イオンを検出するためのセンサ面を有し、前記収容部は、該収容部の一部に前記センサ面を露出させて前記イオンセンサを収容してあり、前記一部から前記電極を突出させて前記イオン発生部を収容してあることを特徴とする。
【００１４】
本発明にあっては、イオン発生部は、イオンを発生するための電極を有する。イオンセンサは、イオンを検出するためのセンサ面を有する。収容部は、当該収容部の一部にセンサ面を露出させてイオンセンサを収容してあり、当該収容部の一部から電極を突出させてイオン発生部を収容してある。収容部の一部とは、例えば、収容部の外形を画定する一面である。すなわち、収容部の一部(一面)には、センサ面を露出させるとともに、電極を突出させてある。電極を突出させることにより、イオンを発生しやすくするとともに、発生したイオンを放出させやすくすることができる。また、イオンセンサのセンサ面を収容部の一面に露出させることにより、収容部の一面とセンサ面とを同一面上に配置することができ、イオンセンサが空気の流れを妨げることがない。
【００１５】
本発明に係るイオン発生ユニットは、前記イオン発生部は、正イオンを発生するための電極と負イオンを発生するための電極とを離隔して設けてあり、イオン検出対象の一方の電極と前記イオンセンサとの離隔寸法を画定する仮想直線と、該一方の電極と他方の電極との離隔寸法を画定する仮想直線との間の角度が９０度より大きく１８０度より小さくなるように前記イオンセンサを設けてあることを特徴とする。
【００１６】
本発明にあっては、イオン発生部は、正イオンを発生するための電極と負イオンを発生するための電極とを離隔して設けてある。イオン検出対象の一方の電極（例えば、負イオンを発生するための電極）とイオンセンサとの離隔寸法を画定する仮想直線と、当該一方の電極と他方の電極（例えば、正イオンを発生するための電極）との離隔寸法を画定する仮想直線との間の角度が９０度より大きく１８０度より小さくなるようにイオンセンサを設けてある。離隔寸法は、例えば、電極間の寸法であり、イオンセンサの中心（センサ面の中心）と電極との間の寸法である。仮想直線は、例えば、電極と垂直に交差する平面上に投影した直線とすることができる。角度は、例えば、１００度から１４０度程度とすることができる。
【００１７】
上述の構成により、例えば、イオンセンサを一方の電極に近づけるとともに、他方の電極から遠ざけることができる。また、角度を９０度より大きくすることにより、電極同士が水平（横方向）に配置されたときに、イオンセンサがイオン検出対象の一方の電極（例えば、負イオンを発生するための電極）の直下に位置することなく、当該電極から斜め下方向に配置される。このため、ファンから送出される空気の風向が、垂直（縦方向）ではなく、垂直方向に対して斜め方向となる場合でも、風向に沿ってイオン検出対象の電極の下流側にイオンセンサを配置することができるとともに、イオンセンサをイオン検出対象ではない電極（例えば、正イオンを発生するための電極）から遠ざけることができるので、イオン濃度を精度よく検出することができる。
【００１８】
本発明に係る電気機器は、前述の発明に係るイオン発生ユニットを備え、該イオン発生ユニットで発生したイオンを吹出口から放出するようにしてあることを特徴とする。
【００１９】
本発明にあっては、正常なイオンセンサを交換することなくイオン発生部だけを交換することができ、不要なコスト高となる事態を防止することができる電気機器を実現することができる。
【発明の効果】
【００２０】
本発明によれば、正常なイオンセンサを交換することなくイオン発生部だけを交換することができ、不要なコスト高となる事態を防止することができる
【図面の簡単な説明】
【００２１】
【図１】本実施の形態のイオン発生装置のルーバを閉じた状態の構成の一例を示す外観斜視図である。
【図２】本実施の形態のイオン発生装置のルーバを開いた状態の構成の一例を示す外観斜視図である。
【図３】本実施の形態のイオン発生装置の内部構成の一例を示す斜視図である。
【図４】本実施の形態のイオン発生ユニットの一例を示す外観斜視図である。
【図５】本実施の形態のイオン発生ユニットの収容部側から見た分解斜視図である。
【図６】本実施の形態のイオン発生ユニットの第１例としての蓋部側から見た分解斜視図である。
【図７】本実施の形態のイオン発生ユニットの一例を示す側面図である。
【図８】吹出口の内側の一例を示す要部断面図である。
【図９】本実施の形態のイオン発生ユニットの第２例としての分解斜視図である。
【図１０】本実施の形態のイオン発生ユニットの第３例としての分解斜視図である。
【図１１】本実施の形態のイオン発生ユニットの第４例としての分解斜視図である。
【発明を実施するための形態】
【００２２】
以下、本発明をその実施の形態を示す図面に基づいて説明する。図１は本実施の形態のイオン発生装置１００のルーバを閉じた状態の構成の一例を示す外観斜視図であり、図２は本実施の形態のイオン発生装置１００のルーバを開いた状態の構成の一例を示す外観斜視図であり、図３は本実施の形態のイオン発生装置１００の内部構成の一例を示す斜視図である。イオン発生装置１００は、一面が開口した箱状のケース１、ケース１の開口面に装着される矩形状のパネル２などを備える。なお、以下では、電気機器の一例としてイオン発生装置について説明するが、電気機器はイオン発生装置に限定されるものではなく、空気清浄機、エアコン、ファンヒータ、加湿器、除湿器、冷蔵庫、殺菌装置などを含む。
【００２３】
パネル２は、中央部に矩形状の空気の取入口１０を設けてあり、取入口１０を設けた箇所の高さ寸法（厚み寸法）が大きく、パネル２の中央部から周部に向かって高さ寸法が小さくなるようにパネル２の表面（前面）を取入口１０の面に対して傾斜させてある。
【００２４】
パネル２の周縁部には、矩形状の空気の吹出口１１、１２、１３、１４を設けてある。また、それぞれの吹出口１１〜１４には、風向調整板であるルーバ２１、２２、２３、２４を設けてある。
【００２５】
ルーバ２１〜２４は、吹出口１１〜１４と略同寸法を有する矩形状をなす。ルーバ２１〜２４は、パネル２の周縁部と反対側の吹出口１１〜１４の縁部に沿った軸回りに回動可能に設けられている。ルーバ２１〜２４の回動動作は、後述のルーバ制御回路５８により制御される。ルーバ２１〜２４を閉じることにより、吹出口１１〜１４はルーバ２１〜２４で覆われる。また、ルーバ２１〜２４を適宜の角度（例えば、取入口１０の面に対する角度）で開くことにより、吹出口１１〜１４から吹き出されるイオンを含む空気は、ルーバ２１〜２４の内側面に当たって風向を調整することができる。また、吹出口１１〜１４から吹き出されるイオンを含む空気は、パネル２の中央部から周縁部へ向かう方向に吹き出すことができる。
【００２６】
吹出口１１〜１４の近傍には、それぞれの吹出口１１〜１４に対応させて表示部としてのＬＥＤ３１、３２、３３、３４を設けてある。ＬＥＤ３１〜３４は、例えば、取入口１０の周縁部と各吹出口１１〜１４の端部との間に設けることができる。
【００２７】
ＬＥＤ３１〜３４には、点灯時の光で、例えば、ルーバ２１〜２４の外側面の所望の領域を照らすことができるように導光部材（不図示）を設けることもできる。これにより、ルーバ２１〜２４の開閉状態に関わらず、ルーバ２１〜２４の外側表面の所望の領域を光らせることができ、外部からの視認性を高めることができる。
【００２８】
パネル２の前面には、異常の発生を報知する報知部としてのＬＥＤランプ、リモートコントロール等の外部装置から所定の信号を取得する取得部としての受光部などを備える表示パネル２５を設けてある。
【００２９】
例えば、表示パネル２５は、複数のＬＥＤランプを備え、イオン発生装置１００が運転状態であることを示すＬＥＤランプ（運転ランプ）、後述のイオン発生ユニットの交換を知らせるためのＬＥＤランプ、イオン発生ユニット等の異常を報知するためのＬＥＤランプ、イオン発生ユニット又はフィルタ（不図示）等の清掃を通知するためのＬＥＤランプなどを備える。
【００３０】
図２又は図３に示すように、それぞれの吹出口１１〜１４の内側には、イオン発生ユニット４１、４２、４３、４４を装着している。
【００３１】
また、図３に示すように、ケース１の中央部には、ファン３を設けてある。ファン３は、いわゆるターボファンであり、回転軸方向に立設した複数の羽板を備える。羽板は、ファン３の周方向に沿って傾斜させてある。すなわち、ファン３の回転軸から羽板の両端部までの半径方向に沿った距離が異なり、ファン３を回転させることにより、羽板が空気を外側に押し出すようにしてある。これにより、ファン３が回転することにより、取入口から空気が取り込まれ、ファン３の回転により、取り込まれた空気は、それぞれの吹出口１１〜１４からイオンを含んだ状態で放出される。
【００３２】
図４は本実施の形態のイオン発生ユニット４１の一例を示す外観斜視図であり、図５は本実施の形態のイオン発生ユニット４１の収容部４１１側から見た分解斜視図であり、図６は本実施の形態のイオン発生ユニット４１の第１例としての蓋部４２１側から見た分解斜視図であり、図７は本実施の形態のイオン発生ユニット４１の一例を示す側面図である。なお、他のイオン発生ユニット４２〜４４もイオン発生ユニット４１と同等であるので、以下では、イオン発生ユニット４１について説明する。
【００３３】
図４に示すように、イオン発生ユニット４１は、一面が開口した箱状の収容部４１１、正イオン及び負イオンを発生する電極部４１３、４１２を備えたイオン発生部４１０、イオンセンサ４１４、イオン発生部４１０を収容部４１１に収容した状態で収容部４１１を取り外し可能に覆う蓋部４２１、イオンセンサ４１４を収容部４１１に収容した状態で収容部４１１を取り外し困難に覆う覆部４２２、収容部４１１の一側端部に設けられ、イオン発生ユニット４１を機械的及び電気的に接続するためのコネクタ４１５、収容部４１１の他側端部に設けられ、イオン発生ユニット４１をケース１に固定するためのねじ部４１６などを備える。
【００３４】
イオン発生部４１０は、矩形状の板状体であり、一方の端部近傍にマイナスイオンを発生させる電極部４１２を設けてあり、他方の端部近傍にプラスイオンを発生させる電極部４１３を設けてある。
【００３５】
イオン発生ユニット４１は、空気中の水蒸気をプラズマ放電によりイオン化することにより、プラスイオンとしてのＨ+ （Ｈ2 Ｏ）n （ｎは任意の自然数）と、マイナスイオンとしてのＯ2 - （Ｈ2 Ｏ）m （ｍは任意の自然数）とを発生する。そして、これらが化学反応することにより、活性種である過酸化水素（Ｈ2 Ｏ2 ）及び／又は水酸基ラジカル（ＯＨ）が生成され、空気中の浮遊細菌や浮遊ウィルス等が除去される。
【００３６】
これにより、それぞれの吹出口１１〜１４は、プラスイオンを含む空気、及びマイナスイオンを含む空気を分けて吹き出すことができ、イオン発生装置１００から吹き出した空気中のプラスイオンとマイナスイオンとが直ちに中和することを防止できる。そして、イオンの中和を防止することにより、イオンの拡散性を向上させることができる。
【００３７】
収容部４１１の底板４１９には、イオン発生部４１０の各電極部４１２、４１３を底板４１９の表面から突出させて配置させるため、略矩形状の開口４１７を形成してある。
【００３８】
また、底板４１９の角部近傍には、イオンセンサ４１４のセンサ面４１４ａが底板４１９の表面（一面）と同一面をなすようにイオンセンサ４１４（センサ面４１４ａ）を露出させるための開口４１８を形成してある。イオンセンサ４１４は、例えば、略矩形状をなし、開口４１８は、イオンセンサ４１４と略同寸法の矩形状をなす。また、底板４１９のセンサ面４１４ａが露出する箇所には、イオンセンサ４１４又はセンサ面に直接手が触れないように、枠状の保護部材４２８を設けてある。
【００３９】
収容部４１１は、イオン発生部４１０を収容するための収容空間４３１を有する。イオン発生部４１０の各電極部４１２、４１３を開口４１７から外側に突出させた状態で、イオン発生部４１０を収容空間４３１内に収容することができる。なお、イオン発生部４１０の固定には、適宜の部材（例えば、ねじ等）を用いればよい。
【００４０】
イオン発生部４１０を収容部４１１の収容空間４３１に収容した状態で収容部４１１（より具体的には、イオン発生部４１０）を覆う蓋部４２１を取り付けることができる。蓋部４２１は、蓋部４２１に設けられたねじ部４２５を、収容部４１１の底板４１９の内側面に設けられたねじ孔４２６に挿入して締め付けることにより、蓋部４２１を収容部４１１から取り外し可能に（取り外しが容易に）に取り付けることができる。
【００４１】
なお、蓋部４２１を収容部４１１に取り付ける方法は、ねじ部とねじ孔に限定されるものではなく、取り外しが容易な構成であれば、他の構成を用いることもできる。
【００４２】
また、収容部４１１は、イオンセンサ４１４を収容するための収容空間４３２を有する。収容空間４３２を画定する収容部４１１の側板上端部には、覆部４２２を収容部４１１に嵌合させるための突起状の嵌合部４２４を３つ設けてある。また、覆部４２２の嵌合部４２４に対応する位置には、被嵌合部としての嵌合孔４２３を設けてある。
【００４３】
イオンセンサ４１４を収容部４１１の収容空間４３２に収容した状態で収容部４１１（より具体的には、イオンセンサ４１４）を覆う覆部４２２を取り付けることができる。覆部４２２は、覆部４２２に設けられた嵌合孔４２３に、収容部４１１に設けられた突起状の嵌合部４２４を嵌合することにより、覆部４２２を収容部４１１から取り外し又は開閉困難に取り付けることができる。
【００４４】
上述のように、イオン発生部４１０が収容された収容部４１１を取り外し可能に覆う蓋部４２１と、イオンセンサ４１４が収容された収容部４１１を取り外し困難に覆う覆部４２２とを備える。例えば、蓋部４２１は、ねじ等で取り外しが容易な態様で収容部４１１に取り付けることができる。一方、覆部４２２は、収容部４１１から容易に取り外しができない程度に、例えば、覆部４２２に嵌合孔４２３を設け、収容部４１１に突起状の嵌合部材を設けることができる。なお、覆部４２２に突起状の嵌合部を設け、収容部４１１に嵌合孔を設けてもよい。
【００４５】
仮にイオン発生部４１０に異常が発生し、イオンセンサ４１４が正常である場合には、蓋部４２１を収容部４１１から取り外し、イオン発生部４１０を交換した後、蓋部４２１を収容部４１１に取り付け、イオン発生部４１０を交換したイオン発生ユニット４１をイオン発生装置１００に装着する。これにより、正常なイオンセンサ４１４を交換することなくイオン発生部４１０だけを交換することができ、不要なコスト高となる事態を防止することができる。
【００４６】
なお、覆部４２２を収容部４１１に取り付ける方法は、上述の例に限定されるものではなく、例えば、覆部４２２の取り外しが困難であれば、どのような構成でもよい。
【００４７】
上述の図４ないし図６で例示した構成では、覆部４２２を収容部４１１に嵌合させる構成であったが、これに限定されるものではなく、覆部４２２を具備しない構成とすることもできる。すなわち、イオン発生ユニット４１は、蓋部４２１及び覆部４２２の両方を備える構成に代えて、蓋部４２１だけを具備する構成とすることができる。この場合には、蓋部４２１は、収容部４１１を覆い、イオンセンサ４１４を露出することなく取り外し可能である。
【００４８】
仮にイオン発生部４１０に異常が発生し、イオンセンサ４１４が正常である場合には、蓋部４２１を収容部４１１から取り外し、イオンセンサ４１４を露出することなく、イオン発生部４１０を交換した後、蓋部４２１を収容部４１１に取り付け、イオン発生部４１０を交換したイオン発生ユニット４１をイオン発生装置１００に装着する。これにより、正常なイオンセンサを交換することなくイオン発生部だけを交換することができ、不要なコスト高となる事態を防止することができる。
【００４９】
また、イオン発生部４１０は、電極部４１２、４１３に、イオンを発生するための電極としての針電極４１２ａ、４１３ａを有する（図７参照）。なお、以下の説明では、電極の一例として、針状の針電極について説明するが、電極は針状に限定されるものではなく、例えば、沿面放電によりイオンを放出する印刷電極などを用いることもできる。イオンセンサ４１４は、イオンを検出するためのセンサ面４１４ａを有する。収容部４１１は、当該収容部４１１の一部（具体的には、底板４１９の表面）にセンサ面４１４ａを露出させてイオンセンサ４１４を収容してあり、当該収容部４１１の一部（具体的には、底板４１９の表面）から針電極４１２ａ、４１３ａを突出させてイオン発生部４１０を収容してある。なお、収容部の一部とは、例えば、収容部の外形を画定する一面（具体的には、底板４１９の表面）である。
【００５０】
すなわち、収容部４１１の一部(一面)には、センサ面４１４ａを露出させるとともに、針電極４１２ａ、４１３ａを突出させてある。針電極４１２ａ、４１３ａを突出させることにより、イオンを発生しやすくするとともに、発生したイオンを放出させやすくすることができる。また、イオンセンサ４１４のセンサ面４１４ａを収容部４１１の一面に露出させることにより、収容部４１１の一面（具体的には、底板４１９の表面）とセンサ面４１４ａとを同一面上に配置することができ、イオンセンサ４１４が空気の流れを妨げることがない。
【００５１】
また、図４に示すように、イオン発生部４１０は、正イオンを発生するための針電極４１３ａと負イオンを発生するための針電極４１２ａとを離隔して設けてある。イオン検出対象の一方の針電極（例えば、負イオンを発生するための針電極）４１２ａとイオンセンサ４１４との離隔寸法を画定する仮想直線Ｌ１と、針電極４１２ａと他方の針電極（例えば、正イオンを発生するための針電極）４１３ａとの離隔寸法を画定する仮想直線Ｌ２との間の角度αが９０度より大きく１８０度より小さくなるようにイオンセンサ４１４を設けてある。
【００５２】
ここで、離隔寸法は、例えば、針電極４１２ａ、４１３ａ間の寸法であり、あるいはイオンセンサ４１４の中心（センサ面４１４ａの中心）と針電極４１２ａとの間の寸法である。仮想直線は、例えば、針電極４１２ａ、４１３ａと垂直に交差する平面上に投影した直線とすることができる。角度αは、例えば、１００度から１４０度程度とすることができる。
【００５３】
上述の構成により、例えば、イオンセンサ４１４を一方の針電極４１２ａに近づけるとともに、他方の針電極４１３ａから遠ざけることができる。また、角度αを９０度より大きくすることにより、針電極４１２ａ、４１３ａ同士が水平（横方向）に配置されたときに、イオンセンサ４１４がイオン検出対象の一方の針電極（例えば、負イオンを発生するための針電極）４１２ａの直下に位置することなく、当該針電極４１２ａから斜め下方向に配置される。このため、ファンから送出される空気の風向が、垂直（縦方向）ではなく、垂直方向に対して斜め方向となる場合でも、風向に沿ってイオン検出対象の針電極４１２ａの下流側にイオンセンサ４１４を配置することができるとともに、イオンセンサ４１４をイオン検出対象ではない針電極（例えば、正イオンを発生するための針電極）４１３ａから遠ざけることができるので、イオン濃度を精度よく検出することができる。
【００５４】
図８は吹出口１４の内側の一例を示す要部断面図である。なお、図８は吹出口１４の内側の要部構成が分かるように一部破断の断面の様子を示す。イオン発生装置１００を天井に取り付けた状態では、図８の上側が垂直方向下向きとなり、図８の下側が天井側、すなわち垂直方向上向きとなる。図８において、符号７４は導入口である。導入口７４は、吹出口１４と連通し、吹出口１４と略同寸法の長さを有するとともに、ファン３の羽板３０の高さと略同寸法の高さを有する。導入口７４は、ファン３が送出する空気を電極部４１２及び電極部４１３へ導くためのものである。なお、他の吹出口１１〜１３に対応して、導入口７４の他に３つの導入口を具備するが、当該３つの導入口の構成は導入口７４と同様であるので、以下では導入口７４について説明する。
【００５５】
図８において、符号３０で示す羽板には、便宜上模様を付して他の箇所と区別できるようにしてある。また、符号Ａは、ファン３、すなわち羽板３０の回転方向を示す。
【００５６】
ファン３から送出された空気は導入口７４に流入し吹出口１４の内側を通って吹出口１４から吹き出す。そして、ファン３は、イオン発生部４１０で発生したイオンを吹出口１４から放出すべく送風する。イオン発生部４１０は、正イオンを発生するための針電極４１３ａを有する電極部４１３と負イオンを発生するための針電極４１２ａを有する電極部４１２とを離隔して設けてある。また、イオン発生部４１０は、針電極４１２ａ、４１３ａが水平方向(横方向)となるように取り付けてある。
【００５７】
ファン３により導入口７４から吹出口１４に向かって、符号Ｂで示す方向に空気が流れる。ただし、符号Ｂの方向は、凡その風向を概念的に示すものである。より正確には、ファン３の羽板３０が符号Ａで示す方向に回転しているため、羽板３０で押し出された空気は、導入口７４から吹出口１４に向かって斜め上方（図８では左上方、イオン発生装置１００を取り付けた状態では斜め下方となる）に流れる。
【００５８】
そして、針電極４１２ａとイオンセンサ４１４との離隔寸法を画定する仮想直線Ｌ１と、針電極４１２ａと針電極４１３ａとの離隔寸法を画定する仮想直線Ｌ２との間の角度αが９０度より大きく１８０度より小さくなるようにイオンセンサ４１４を設けてある。
【００５９】
これにより、針電極４１２ａ、４１３ａ同士が水平（横方向）に配置されたときに、イオンセンサ４１４が針電極４１２ａの直上（イオン発生装置１００を取り付けた状態では直下）に位置することなく、針電極４１２ａから斜め上方向（イオン発生装置１００を取り付けた状態では斜め下方向）に配置される。このため、ファン３から送出される空気の風向が、垂直（縦方向）ではなく、垂直方向に対して斜め方向となる場合でも、風向に沿ってイオン検出対象の針電極４１２ａの下流側にイオンセンサ４１４を配置することができるとともに、イオンセンサ４１４をイオン検出対象ではない針電極４１３ａから遠ざけることができるので、イオン濃度を精度よく検出することができる。
【００６０】
上述の例では、イオン発生ユニットが蓋部４２１を具備する構成であったが、イオン発生部４１０を取り外し可能に装着するための構成は、上述の例に限定されない。以下、他の例について説明する。
【００６１】
図９は本実施の形態のイオン発生ユニット４１の第２例としての分解斜視図である。図９に示すように、第２例では、蓋部４２１を具備しない。イオン発生ユニット４１は、イオンセンサ４１４を露出することなく収容部４１１から取り外すための開口部４３３を備える。仮にイオン発生部４１０に異常が発生し、イオンセンサ４１４が正常である場合には、イオンセンサ４１４を露出することなく、開口部４３３からイオン発生部４１０を取り出し、イオン発生部４１０を交換した後、イオン発生部４１０を開口部４３３に挿入して収容部４１１に取り付け、イオン発生部４１０を交換したイオン発生ユニット４１をイオン発生装置１００に装着する。これにより、正常なイオンセンサ４１４を交換することなくイオン発生部４１０だけを交換することができ、不要なコスト高となる事態を防止することができる。
【００６２】
図１０は本実施の形態のイオン発生ユニット４１の第３例としての分解斜視図である。図１０に示すように、蓋部４２７をヒンジ４２７ａで回動可能に収容部４１１に固定し、蓋部４２７を、図１０中矢印で示すように開閉するようにしてもよい。仮にイオン発生部４１０に異常が発生し、イオンセンサ４１４が正常である場合には、蓋部４２７を開き、イオンセンサ４１４を露出することなく、イオン発生部４１０を交換した後、蓋部４２７を閉じ、イオン発生部４１０を交換したイオン発生ユニット４１をイオン発生装置１００に装着する。これにより、正常なイオンセンサ４１４を交換することなくイオン発生部４１０だけを交換することができ、不要なコスト高となる事態を防止することができる。
【００６３】
図１１は本実施の形態のイオン発生ユニット４１の第４例としての分解斜視図である。図１１に示すように、図６の第１例の蓋部４２１、覆部４２２に代えて、略同寸法の枠体４３５と、枠体４３５に対して摺動可能に取り付けられた蓋部４３６を備える構成とすることもできる。枠体４３５には、蓋部４３６を摺動させるための突条部（不図示）を設けてあり、蓋部４３６の長手方向の縁部を突条部に挿設することにより、蓋部４３６を開閉可能に収容部４１１に取り付けることができる。なお、この場合、枠体４３５は、取り外し困難に収容部４１１に固定してある。
【００６４】
仮にイオン発生部４１０に異常が発生し、イオンセンサ４１４が正常である場合には、蓋部４３６を摺動させて開き、イオンセンサ４１４を露出することなく、イオン発生部４１０を交換し、その後、蓋部４３６を摺動させて閉じ、イオン発生部４１０を交換したイオン発生ユニット４１をイオン発生装置１００に装着する。これにより、正常なイオンセンサ４１４を交換することなくイオン発生部４１０だけを交換することができ、不要なコスト高となる事態を防止することができる。
【００６５】
上述の実施の形態では、イオン発生ユニット及び吹出口を複数備える構成であったが、これに限定されるものではなく、イオン発生ユニット及び吹出口は１つであってもよい。
【００６６】
本実施の形態では、電気機器の一例としてイオン発生装置について説明したが、本実施の形態はイオン発生装置に限定されるものではなく、空気清浄機、エアコン、ファンヒータ、加湿器、除湿器、冷蔵庫、殺菌装置などの電気機器に対しても適用することができる。また、上述の電気機器において、イオン発生ユニットは着脱可能に取り付けることができる。
【符号の説明】
【００６７】
１  ケース
２  パネル
３  ファン
１０  取入口
１１、１２、１３、１４  吹出口
２１、２２、２３、２４  ルーバ
４１、４２、４３、４４  イオン発生ユニット
４１０  イオン発生部
４１１  収容部
４１２、４１３  電極部
４１２ａ、４１３ａ  針電極
４１４  イオンセンサ
４１４ａ  センサ面
４２１、４２７、４３６  蓋部
４２２  覆部
４３３  開口部
４３５  枠体
【図１】
0005794897.tif 000002
【図２】
0005794897.tif 000003
【図３】
0005794897.tif 000004
【図４】
0005794897.tif 000005
【図５】
0005794897.tif 000006
【図６】
0005794897.tif 000007
【図７】
0005794897.tif 000008
【図８】
0005794897.tif 000009
【図９】
0005794897.tif 000010
【図１０】
0005794897.tif 000011
【図１１】
0005794897.tif 000012